(57)【要約】  【課題】  外部にコンテンツデータ出力装置を用意し、その外部出力装置上にコンテンツリストを表示させながら再生するコンテンツを決定でき、更にその外部出力装置と通信を行い、その外部出力装置を制御して出力を行わせるコンテンツデータ記録・再生装置を提供する。  【解決手段】  外部にコンテンツデータ出力装置を用意し、その外部出力装置上にコンテンツリストを表示させながら再生するコンテンツを決定でき、更にその外部出力装置と通信を行い、その外部出力装置を制御して出力を行わせるコンテンツデータ記録・再生装置である。【選択図】  図１
2006318585.tif 000002
【特許請求の範囲】
【請求項１】
コンテンツデータを記録する記録手段と、
前記コンテンツデータを再生出力する再生出力手段と、
前記コンテンツデータに応じた画像出力および音響出力の少なくとも一方を行う外部出力装置と通信を行うインタフェースと、
操作手段と、
前記インタフェースを介して前記外部出力装置との間の通信を確立すると、前記操作手段から入力された指示に基づいて、前記記録手段から読み出した前記コンテンツデータを前記外部出力装置に前記インタフェースを介して送信し、前記外部出力装置による前記コンテンツデータの再生出力を制御する制御手段と
を有する電子機器。
【請求項２】
前記制御手段は、前記外部出力装置との間の通信が確立していないと判断した場合に、前記操作手段から入力した指示に基づいて、前記記録手段から読み出した前記コンテンツデータを前記再生出力手段に再生出力させる
請求項１に記載の電子機器。
【請求項３】
前記制御手段が生成した操作画面データに応じた操作画像を表示するディスプレイ
を有し、
前記制御手段は、画像出力を行う前記外部出力装置との間の通信を確立すると、前記ディスプレイをオフにし、前記インタフェースを介して前記操作画面データを前記外部出力装置に送信して画像出力させる
請求項１に記載の電子機器。
【請求項４】
前記制御手段は、前記操作手段からの指示に基づいて、前記操作画面データを更新する
請求項３に記載の電子機器。
【請求項５】
前記記録手段は、前記コンテンツデータのリストデータをさらに記録し、
前記制御手段は、前記外部出力装置との間の通信を確立すると、前記記録手段から読み出した前記リストデータが示すリストを選択させる操作画面データを生成し、当該操作画面データを前記外部出力装置に前記インタフェースを介して送信して表示させる
請求項１に記載の電子機器。
【請求項６】
前記制御手段は、前記操作画面データに対応したコンテンツデータの選択指示を前記操作手段から入力すると、当該選択指示されたコンテンツデータを前記記録手段から読み出して前記外部出力装置に前記インタフェースを介して送信する
請求項５に記載の電子機器。
【請求項７】
前記記録手段は、前記コンテンツデータの各々についてブックマークが付されているか否かを示す前記リストデータを記録し、
前記制御手段は、前記外部出力装置との間の通信を確立すると、前記記録手段から読み出した前記リストデータを基に、前記ブックマークが付された前記コンテンツデータのリストを選択させる操作画面データを生成し、当該操作画面データを前記外部出力装置に前記インタフェースを介して送信して表示させる
請求項５に記載の電子機器。
【請求項８】
前記記録手段は、画像データを記録し、
前記制御手段は、前記記録手段から読み出した前記画像データを、前記操作画面データと関連付けて前記外部出力装置に前記インタフェースを介して送信し、前記画像データに応じた画像を背景として前記操作画面データに応じた操作画面を前記外部出力装置に表示させる
請求項５に記載の電子機器。
【請求項９】
記録手段を備えた電子機器が実行するデータ処理方法であって、
外部出力装置との間で通信を確立する第１の工程と、
操作指示を受けると、操作指示で指定されたコンテンツデータを前記記録手段から読み出し、前記第１の工程で確立した通信により前記外部出力装置に送信する第２の工程と、
前記第２の工程で送信した前記コンテンツデータの前記外部出力装置による再生出力を制御する第３の工程と
を有するデータ処理方法。
【請求項１０】
記録手段を備えた電子機器が実行するプログラムであって、
外部出力装置との間で通信を確立する第１の手順と、
操作指示を受けると、操作指示で指定されたコンテンツデータを前記記録手段から読み出し、前記第１の手順で確立した通信により前記外部出力装置に送信する第２の手順と、
前記第２の手順で送信した前記コンテンツデータの前記外部出力装置による再生出力を制御する第３の手順と
を前記電子機器に実行させるプログラム。
【発明の詳細な説明】
【技術分野】
【０００１】
本発明は、外部出力装置と通信し、その外部出力装置にコンテンツデータの再生・出力を行わせることができる電子機器、データ処理法及びプログラムに関する。
【背景技術】
【０００２】
近年、大容量の記録装置を搭載した携帯型記録・再生装置が開発されている。
こうした装置では、音声・動画・静止画などのコンテンツデータが圧縮されて記録されており、被圧縮データをデコードすることでコンテンツデータの再生を行っている。再生されるコンテンツデータは、携帯型記録再生装置に搭載された小型液晶モニタやヘッドホン端子、小型スピーカ等の出力装置から出力される。
【発明の開示】
【発明が解決しようとする課題】
【０００３】
しかし、上記のような携帯型記録・再生装置に搭載される小型出力装置には、見にくい、音質が悪い、ヘッドホンが煩わしい等の不利益があった。
上述の不利益を解消するためには、スピーカなどの外部出力装置を使用して出力を行うことが考えられるが、その場合でもどのコンテンツを再生するかを決定するためには小型出力装置の出力を見る必要があり、結局小型出力装置の出力が見にくいという不利益は残ってしまう。
本発明は上述した不利益を解消するため、外部出力装置の再生出力機能を利用できる電子機器、データ処理方法およびプログラムを提供することを目的とする。
【課題を解決するための手段】
【０００４】
上述した従来技術の不利益を解消するために、第１の発明の電子機器は、コンテンツデータを記録する記録手段と、前記コンテンツデータを再生出力する再生出力手段と、前記コンテンツデータに応じた画像出力および音響出力の少なくとも一方を行う外部出力装置と通信を行うインタフェースと、操作手段と、前記インタフェースを介して前記外部出力装置との間の通信を確立すると、前記操作手段から入力された指示に基づいて、前記記録手段から読み出した前記コンテンツデータを前記外部出力装置に前記インタフェースを介して送信し、前記外部出力装置による前記コンテンツデータの再生出力を制御する制御手段とを有する。
【０００５】
好適には、前記制御手段は、前記外部出力装置との間の通信が確立していないと判断した場合に、前記操作手段から入力した指示に基づいて、前記記録手段から読み出した前記コンテンツデータを前記再生出力手段に再生出力させる。
【０００６】
好適には、前記制御手段が生成した操作画面データに応じた操作画像を表示するディスプレイを有し、前記制御手段は、画像出力を行う前記外部出力装置との間の通信を確立すると、前記ディスプレイをオフにし、前記インタフェースを介して前記操作画面データを前記外部出力装置に送信して画像出力させる。
【０００７】
また、好適には、前記制御手段は、前記操作手段からの指示に基づいて、前記操作画面データを更新する。
【０００８】
好適には、前記記録手段は、前記コンテンツデータのリストデータをさらに記録し、前記制御手段は、前記外部出力装置との間の通信を確立すると、前記記録手段から読み出した前記リストデータが示すリストを選択させる操作画面データを生成し、当該操作画面データを前記外部出力装置に前記インタフェースを介して送信して表示させる。
【０００９】
また、好適には、前記制御手段は、前記操作画面データに対応したコンテンツデータの選択指示を前記操作手段から入力すると、当該選択指示されたコンテンツデータを前記記録手段から読み出して前記外部出力装置に前記インタフェースを介して送信する。
【００１０】
更に好適には、前記記録手段は、前記コンテンツデータの各々についてブックマークが付されているか否かを示す前記リストデータを記録し、前記制御手段は、前記外部出力装置との間の通信を確立すると、前記記録手段から読み出した前記リストデータを基に、前記ブックマークが付された前記コンテンツデータのリストを選択させる操作画面データを生成し、当該操作画面データを前記外部出力装置に前記インタフェースを介して送信して表示させる。
【００１１】
更に好適には、前記記録手段は、画像データを記録し、前記制御手段は、前記記録手段から読み出した前記画像データを、前記操作画面データと関連付けて前記外部出力装置に前記インタフェースを介して送信し、前記画像データに応じた画像を背景として前記操作画面データに応じた操作画面を前記外部出力装置に表示させる。
【００１２】
第２の発明のデータ処理方法は、記録手段を備えた電子機器が実行するデータ処理方法であって、外部出力装置との間で通信を確立する第１の工程と、操作指示を受けると、操作指示で指定されたコンテンツデータを前記記録手段から読み出し、前記第１の工程で確立した通信により前記外部出力装置に送信する第２の工程と、前記第２の工程で送信した前記コンテンツデータの前記外部出力装置による再生出力を制御する第３の工程とを有する。
【００１３】
第３の発明のプログラムは、記録手段を備えた電子機器が実行するプログラムであって、外部出力装置との間で通信を確立する第１の手順と、操作指示を受けると、操作指示で指定されたコンテンツデータを前記記録手段から読み出し、前記第１の手順で確立した通信により前記外部出力装置に送信する第２の手順と、前記第２の手順で送信した前記コンテンツデータの前記外部出力装置による再生出力を制御する第３の手順とを前記電子機器に実行させる。
【発明の効果】
【００１４】
本発明によれば、外部出力装置の再生出力機能を利用できる電子機器、データ処理方法およびプログラムを提供することができる。
【発明を実施するための最良の形態】
【００１５】
以下、図面を参照しながら本発明の実施形態に係る携帯型オーディオプレーヤについて説明する。
【００１６】
＜第１実施形態＞
先ず、本実施形態の構成要素と本発明の構成要素との対応関係を説明する。
本実施形態の楽曲データは本発明のコンテンツデータの一例である。
また、図１に示す本実施形態のＨＤＤ１３は本発明の記録手段の、オーディオ出力装置１８は本発明の再生出力手段の、データ送信回路２０は本発明のインタフェースの、ＬＣＤパネル１４は本発明のディスプレイの、テレビ４は本発明の外部出力装置の、リモコン５は本発明の操作手段の、それぞれ一例である。
また、図１に示すプログラムＰＲＧは本発明のプログラムの一例である。
【００１７】
図１は、本発明の実施形態に係る携帯型オーディオプレーヤ１の構成図である。
図１に示すように、携帯型オーディオプレーヤ１は、例えば、ＵＳＢ（Universal Serial Bus）インタフェース１１、ＳＤＲＡＭ（Synchronous DRAM）１２、ＨＤＤ（Hard Disk Drive）１３、ＬＣＤ（Liquid Crystal Display）パネル１４、入力デバイス１５、フラッシュメモリ１６、ＣＰＵ（Central Processing Unit）１７、オーディオ出力回路１８、リモコン受信ユニット１９、データ送信回路２０及びヘッドホン端子２１を有する。
ＵＳＢインタフェース１１、ＳＤＲＡＭ１２、ＨＤＤ１３、フラッシュメモリ１６、ＣＰＵ１７、オーディオ出力装置１８、リモコン受信ユニット１９及びデータ送信回路２０は、例えば、データ線１０を介して接続されている。
【００１８】
ＵＳＢインタフェース１１は、例えば、パーソナルコンピュータ３と接続され、パーソナルコンピュータ３との間でデータ入出力を行う。
ＳＤＲＡＭ１２は、ＣＰＵ１７の処理に係わるデータ等を一時的に記憶する。
【００１９】
ＨＤＤ１３は、圧縮された楽曲データ（音楽データ）等を記憶する。
この楽曲データ等は、ＵＳＢインタフェース１１を介してパーソナルコンピュータ３からＨＤＤ１３に書き込まれる。
ＨＤＤ１３は、例えば、２０ＧＢの記憶容量を有し、ＡＴＲＡＣ（Adaptive Transform Acoustic Coding）３等で圧縮された約１００００曲（コンパクトディスク７００枚分）の楽曲データを記憶可能である。
図２は、本実施形態の携帯型オーディオプレーヤ１が記憶する楽曲データに割り当てられている属性を説明するための図である。
ＨＤＤ１３に記憶された楽曲データ（以下、単に楽曲データとも記す）の各々には、図２に示すように、その識別データＭ＿ＩＤ、アーティスト名データＡＲ＿Ｎ、アルバム名データＡＬ＿Ｎ、並びにトラック名データＴ＿Ｎが、管理データＴＡＢＬＥ＿１によって関連付けられている。
管理データＴＡＢＬＥ＿１は、ＨＤＤ１３に記憶され、例えば、携帯型オーディオプレーヤ１の起動時に読み出される。
【００２０】
ＬＣＤパネル１４は、例えば、携帯型オーディオプレーヤ１の正面に設けられ、ＣＰＵ１７によって種々の画面が表示される。
ＬＣＤパネル１４に表示される主な画面としては、例えば、メニュー画面、選曲画面、設定画面及び再生画面などがあり、ユーザのキー操作に応じてこれらの画面が切り替わる。
ＬＣＤパネル１４にはタッチパネルが搭載されており、ユーザが指などによって接触した画面上の位置を検出し、その位置を示す検出位置信号Ｓ１４をＣＰＵ１７に出力する。
【００２１】
入力デバイス１５は、携帯型オーディオプレーヤ１の筐体に設けられ、ユーザによって操作される種々のキーである。
ユーザは、ＬＣＤパネル１４に搭載されたタッチパネルか、入力デバイス１５からデータを入力し、ＨＤＤ１３に記憶させることができる。
【００２２】
フラッシュメモリ１６は、例えば、ＣＰＵ１７の動作を規定したプログラムＰＲＧを記憶する。
【００２３】
オーディオ出力回路１８は、ＣＰＵ１７が復号した楽曲データに応じたオーディオ信号をヘッドホン端子２１に出力する。
【００２４】
リモコン受信ユニット１９は、外部出力装置、例えばテレビ４のリモコン５からの信号を受信する。
【００２５】
データ送信回路２０は、ＨＤＤ１３に記憶された管理データＴＡＢＬＥ＿１、制御データ及び楽曲データ等をテレビ４に送信する。
【００２６】
ＣＰＵ１７は、フラッシュメモリ１６から読み出したプログラムＰＲＧを基に、本実施形態の携帯型オーディオプレーヤ１の動作を統括的に制御する。
また、ＣＰＵ１７は選択された楽曲データをＨＤＤ１３から読み出して復号し、これをオーディオ出力回路１８に出力する。
【００２７】
次に、図３を参照して、本実施形態の携帯型オーディオプレーヤ１のプレイリストについて説明する。
図３は、ＨＤＤ１３に記憶されている楽曲データのプレイリストの一例を示す図である。
【００２８】
図３に示すように、プレイリストには、ある楽曲Ａに対して、アーティスト名、トラック名、アルバム名、開始時間Ｓｔａｒｔ、終了時間Ｅｎｄ、ブックマーク情報Ｂｏｏｋｍａｒｋが記録されている。
【００２９】
このプレイリストは、管理データＴＡＢＬＥ＿１を基にＣＰＵ１７によって自動的に生成されたもの、またはＰＣのアプリケーションソフト上で生成され携帯型オーディオプレーヤに転送されたものが、ＨＤＤ１３に記憶される。
プレイリストに記載される楽曲の順番は、ユーザによって設定可能であり、様々な観点から種々のプレイリストが作成可能である。
【００３０】
開始時間Ｓｔａｒｔは、そのプレイリスト上での楽曲の開始時間を、終了時間Ｅｎｄはプレイリスト上での楽曲の終了時間を表している。
【００３１】
ブックマーク情報Ｂｏｏｋｍａｒｋは、楽曲がユーザのお気に入りであるか否かを表す情報である。ユーザがお気に入りの楽曲にブックマーク情報を付加することで、プレイリスト上からユーザのお気に入りの楽曲の情報が判別できる。
ユーザは、ＬＣＤパネル１４もしくは入力デバイス１５を使用して、ブックマーク情報を随時付加することができる。
【００３２】
本実施形態では、携帯型オーディオプレーヤ１は、テレビ４と接続されているか否かで２つの動作形態を持つ。以下では、この２つの動作形態について説明する。なお、携帯型オーディオプレーヤ１は、例えば、ＡＶケーブル等でテレビ４と接続される。
【００３３】
１つ目の動作形態は、携帯型音楽プレーヤ１がテレビと接続されていない場合であり、携帯型オーディオプレーヤ１は楽曲データを再生し、オーディオ出力回路１８を用いて音声出力を行う。
図４は、携帯型オーディオプレーヤ１がテレビと接続されていない場合の動作例を説明するためのフローチャートである。
【００３４】
ステップＳＴ１：
ＣＰＵ１７は、例えば、ＡＶ出力ケーブル端子のチェック等を行い、携帯型オーディオプレーヤ１がテレビと接続されていないことを確認する。
ステップＳＴ２：
ＣＰＵ１７は、携帯型オーディオプレーヤ１がブックマークモードになっているかどうかを判断し、ブックマークモードである場合にはステップＳＴ３、そうでない場合にはステップＳＴ４に進む。
ブックマークモードは、上述したブックマーク情報が付加されている楽曲のみが再生されるモードである。
ステップＳＴ３：
ＣＰＵ１７は、ＨＤＤ１３に記憶されている楽曲のうち、ブックマーク情報が付加された楽曲のみのリストデータを作成する。
リストデータは、上述したプレイリストを含むデータである。
ステップＳＴ４：
ＣＰＵ１７は、ＨＤＤ１３に記憶されているすべての楽曲のリストを作成する。
ステップＳＴ５：
ＣＰＵ１７は、ステップＳＴ３またはステップＳＴ４で作成したリストをＬＣＤパネル１４に表示する。
ステップＳＴ６：
ユーザはＬＣＤパネル１４に表示されたリストを参照し、再生したい楽曲を決定した後、入力デバイス１５もしくはＬＣＤパネル１４のタッチパネルから再生命令を入力する。
ステップＳＴ７：
ＣＰＵ１７はステップＳＴ３の再生命令に応じてＨＤＤ１３から再生する楽曲データを選択し、再生する。
ステップＳＴ８：
オーディオ出力回路１８は、ステップＳＴ７で再生された楽曲を、ヘッドホン端子２１を通じて出力する。
【００３５】
２つ目の動作形態は、携帯型音楽プレーヤ１がテレビ４と接続されている場合であり、携帯型音楽プレーヤ１は、テレビ４に楽曲データの再生・出力を行わせるための制御を行う。
【００３６】
図５は、本実施形態の携帯型オーディオプレーヤ１がテレビと接続されている場合の概念図である。
図５に示すように、携帯型オーディオプレーヤ１は、テレビ４にリストデータ、制御データ、楽曲データを送信する。
リストデータは、上述したプレイリストを含むデータである。
【００３７】
図６は、携帯型オーディオプレーヤ１がテレビと接続されている場合の動作例を説明するためのフローチャートである。
【００３８】
ステップＳＴ１１：
ＣＰＵ１７は、例えば、ＡＶ出力ケーブル端子のチェック等を行い、携帯型オーディオプレーヤ１がテレビ４と接続されていることを確認する。
ステップＳＴ１２：
ステップＳＴ１１において接続が確認されたら、ＣＰＵ１７は携帯型オーディオプレーヤ１の表示部（ＬＣＤパネル１４）の電源をオフにする。
ステップＳＴ１３：
ＣＰＵ１７は、携帯型オーディオプレーヤ１がブックマークモードになっているかどうかを判断し、ブックマークモードである場合にはステップＳＴ１４、そうでない場合にはステップＳＴ１５に進む。
ステップＳＴ１４：
ＣＰＵ１７は、ＨＤＤ１３に記憶されている楽曲のうち、ブックマーク情報が付加された楽曲のみのリストを作成し、データ送信回路２０はこれをリストデータとしてテレビ４に送信する。
ステップＳＴ１５：
ＣＰＵ１７は、ＨＤＤ１３に記憶されているすべての楽曲のリストを作成し、データ送信回路２０はこれをリストデータとしてテレビ４に送信する。
ステップＳＴ１６：
ステップＳＴ１４及びステップＳＴ１５でリストデータを受信したテレビ４は、リストと画像を表示部（ディスプレイ）上に表示する。
図７は、本実施形態に係るテレビ４のディスプレイの表示の一例を示す図である。
ユーザはテレビ４のディスプレイ上に表示されたリストを参照して、再生したい楽曲を決定し、リモコン５を介して再生の指示を送信する。
ステップＳＴ１７：
リモコン受信ユニット１９は、ステップＳＴ１６で送信されたリモコン５からの制御信号を受信する。リモコン５からの制御信号については後述する。
ステップＳＴ１８：
ＣＰＵ１７は、リモコン５からの制御信号に基づいて、再生する楽曲データを選択する。
ステップＳＴ１９：
データ送信回路２０は、ステップＳＴ１８で選択された楽曲データと制御データとをテレビ４に送信する。楽曲データと制御データとを受信したテレビ４は、楽曲を再生し音声出力部（スピーカ）から出力する。
【００３９】
次に、リモコン５の発する制御信号について説明する。
リモコン５はテレビ４を操作するリモコンであるため、そのボタンの多くはテレビ４を操作するためのものである。しかし、テレビ４は、携帯型オーディオプレーヤ１からのリストデータ等を表示する際には外部入力モードになっており、この場合には使用しないボタンがリモコン５上に存在する。これらのボタンに対応する信号を予めＳＤＲＡＭ１２などにリモコン対応表ＴＡＢＬＥ＿２として記憶しておけば、携帯型オーディオプレーヤがテレビ４を外部出力装置として利用する場合に、リモコン５を使用して、テレビ４を操作せずに携帯型オーディオプレーヤ１の操作を行うことが可能になる。
【００４０】
以上説明したように、本実施形態の携帯型オーディオプレーヤ１は、テレビ４と接続してテレビ４に楽曲リスト等の情報を表示させ、ユーザの操作するリモコン５に従ってテレビのスピーカから音声を出力させることができる。
すなわち、テレビ４のリモコン５ひとつでテレビ４本体と携帯型オーディオプレーヤ１両方の遠隔操作ができるので、操作上の手間が省ける。
また、携帯型オーディオプレーヤ１のＬＣＤパネル１４よりも大きなテレビ４のディスプレイで選曲を行うことができ、またテレビ４のスピーカから選択した楽曲の出力を行うことができるので、お気に入りの楽曲を、テレビを含むホームシアターシステムで簡単に聞くことができる。
また、携帯型オーディオプレーヤ１とテレビ４とが接続された際には、携帯型オーディオプレーヤ１のＬＣＤパネル１４がＯＦＦになり、代わりにテレビのディスプレイ上にリストが表示されるので、ユーザの選曲動作による携帯型オーディオプレーヤ１の消費電力を抑えることができる。
また、ブックマークモードにより、ユーザはお気に入りの楽曲のみのリストをテレビ４に表示させることができ、再生したい楽曲データを検索する手間が省ける。
【００４１】
＜第２実施形態＞
本実施形態では、本実施形態に係る携帯型オーディオプレーヤ１ａとテレビ４とを接続し楽曲を再生する際に、テレビ４のリモコン５を用いずに、携帯型オーディオプレーヤ１ａ自体をリモコンとして用いる例について説明する。なお、本実施形態では、携帯型オーディオプレーヤ１ａとテレビ４は、例えば、赤外線通信等で接続されている。
【００４２】
本実施形態の構成要素と本発明の構成要素との対応関係を説明する。
本実施形態の携帯型オーディオプレーヤ１ａは本発明の操作手段の一例である。
【００４３】
図８は本実施形態に係る携帯型オーディオプレーヤ１ａの構成図である。
図８に示すように、携帯型オーディオプレーヤ１ａは、例えば、ＵＳＢインタフェース１１、ＳＤＲＡＭ１２、ＨＤＤ１３、ＬＣＤパネル１４、入力デバイス１５、フラッシュメモリ１６、ＣＰＵ１７ａ、オーディオ出力装置１８、データ送信回路２０及びヘッドホン端子２１を有する。
本第２実施形態のＵＳＢインタフェース１１、ＳＤＲＡＭ１２、ＨＤＤ１３、ＬＣＤパネル１４、入力デバイス１５、フラッシュメモリ１６、オーディオ出力装置１８、データ送信回路２０及びヘッドホン端子２１は、それぞれ、第１実施形態のＵＳＢインタフェース１１、ＳＤＲＡＭ１２、ＨＤＤ１３、ＬＣＤパネル１４、入力デバイス１５、フラッシュメモリ１６、オーディオ出力装置１８及びヘッドホン端子２１と同様のものである。
【００４４】
次に、図９を参照して、本実施形態に係る携帯型オーディオプレーヤ１ａのＡＶ出力機能について説明する。
図９は、本実施形態の携帯型オーディオプレーヤ１ａがテレビと接続されている場合の概念図である。
図９に示すように、携帯型オーディオプレーヤ１ａは、テレビ４にリストデータ、制御データ、楽曲データを送信する。
【００４５】
図１０は、携帯型オーディオプレーヤ１ａがテレビと接続されている場合の動作例を説明するためのフローチャートである。なお、携帯型オーディオプレーヤ１ａがテレビと接続されていない場合の動作例は、第１実施形態で図４を参照して説明した携帯型オーディオプレーヤ１の動作例と同様である。
【００４６】
図１０のステップＳＴ２１からステップＳＴ２６までは、それぞれ、第１実施形態のステップＳＴ１１からステップＳＴ１６までに対応しているので、ここではステップ２７以降について説明する。
【００４７】
ステップＳＴ２７：
ユーザは、入力デバイス１５もしくはＬＣＤパネル１４のタッチパネルを操作して、再生したい楽曲をテレビ４のディスプレイに表示されたリスト中から選択し、制御信号として入力する。
ステップＳＴ２８：
ＣＰＵ１７ａは、ステップＳＴ２７で入力された制御信号に基づいて、再生する楽曲データを選択する。
ステップＳＴ２９：
データ送信回路２０は、ステップＳＴ２７で操作された入力デバイス１５の入力を基に、楽曲データと制御データとをテレビ４に向けて送信する。楽曲データと制御データとを受信したテレビ４は、楽曲を再生し音声出力部（スピーカ）から出力する。
【００４８】
以上説明したように、本実施形態の携帯型オーディオプレーヤ１ａは、テレビ４のリモコン５を使わずに、携帯型オーディオプレーヤ１ａを操作するだけでテレビ４に楽曲を再生させることができる。更に、上記に加えて携帯型オーディオプレーヤ１ａからテレビ４を操作、例えば、外部入力モードに変更するモード変更や、テレビ側の音量や音質を調整する等が可能であってもよい。
【００４９】
＜第３実施形態＞
本実施形態では、携帯型オーディオプレーヤ１ｂのスライドショー機能について説明する。なお、本実施形態のオーディオプレーヤ１ｂは、ＣＰＵ１７ｂを除き、第１実施形態のオーディオプレーヤ１と同じ構成を持つものとする。
【００５０】
本実施形態の画像データは本発明の画像データの一例である。
【００５１】
本実施形態のオーディオプレーヤ１ｂでは、ＣＰＵ１７ｂが楽曲のリストを作成し、データ送信回路２０がリストデータとしてテレビ４に送信する際に、ＨＤＤ１３に記憶されている画像データを同時に送信し、楽曲リストと同時にテレビ４のディスプレイに表示させることができる。更に、複数の画像を、例えば、任意の時間毎に切り替えて表示させることもできるし、ユーザの操作によって切り替えることもできる（スライドショー）。
【００５２】
携帯型オーディオプレーヤ１ｂの処理は、例えば、以下のようである。
先ず、ＣＰＵ１７ｂがテレビ４に送るリストを作成する際に、同時にＨＤＤ１３を検索し、画像データを検出する。この検出は、例えばＨＤＤ１３内のファイルの形式（例えばｊｐｅｇ等）を検索することによって行われる。
【００５３】
次に、データ送信回路２０がリストデータを送信する際に、同時に、検出された画像データも送信する。
リストデータと画像データを受信したテレビ４は、リストをディスプレイに表示し、同時にリストの背景として画像を表示する。
【００５４】
この時表示される画像は、ＨＤＤ１３に記憶されていた画像データをランダムに表示してもよいし、再生を行う楽曲と予め関連付けられていた画像を表示させることもできる。
【００５５】
以上説明したように、本実施形態の携帯型オーディオプレーヤ１ｂは、テレビ４に、リストと同時に画像を表示させることができ、また、選択的に楽曲と関連のある画像を表示することもできる。これにより、ユーザは携帯型オーディオプレーヤ１ｂよりも大きな画面で画像を見ることができ、かつ携帯型オーディオプレーヤ１ｂよりも大きなスピーカで音楽を楽しむことができる。
なお、本実施形態に係るオーディオプレーヤ１ｂは第１実施形態のオーディオプレーヤ１と同じ構成を持つものとしたが、第２実施形態のオーディオプレーヤ１ａと同じ構成を持っていてもよい。
【００５６】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
上述した第１実施形態では、携帯型オーディオプレーヤ１とテレビ４とはＡＶケーブル等で接続されており、第２実施形態では、携帯型オーディオプレーヤ１ａとテレビ４とは赤外線通信等で接続されているが、本発明はこれらの形態には限定されない。すなわち、ＡＶケーブル、赤外線通信、無線ＬＡＮ等のいずれによって接続されていてよい。
また、上述した実施形態では、リモコン５はテレビ４のものであるが、ＡＶ家電用の汎用リモコン等であってもよい。
また、上述した実施形態では、楽曲データをコンテンツデータの一例としたが、静止画像データ、動画データ等をコンテンツデータとしてもよい。
また、上述した実施形態では、携帯型音楽プレーヤ１、１ａ、１ｂを本発明の電子機器の一例としたが、例えば、携帯電話等を本発明の電子機器としてもよいし、アクセサリーを繋げることで上述の機能を満たすものでも良い。
【図面の簡単な説明】
【００５７】
【図１】図１は、第１実施形態に係る携帯型オーディオプレーヤ１の構成図である。
【図２】図２は、第１実施形態の携帯型オーディオプレーヤ１が記憶する楽曲データに割り当てられている属性を説明するための図である。
【図３】図３は、ＨＤＤ１３に記憶されている楽曲データのプレイリストの一例を示す図である。
【図４】図４は、携帯型オーディオプレーヤ１がテレビと接続されていない場合の動作例を説明するためのフローチャートである。
【図５】図５は、本実施形態の携帯型オーディオプレーヤ１がテレビと接続されている場合の概念図である。
【図６】図６は、携帯型オーディオプレーヤ１がテレビと接続されている場合の動作例を説明するためのフローチャートである。
【図７】図７は、本実施形態に係るテレビ４のディスプレイの表示の一例を示す図である。
【図８】図８は本実施形態に係る携帯型オーディオプレーヤ１ａの構成図である。
【図９】図９は、本実施形態の携帯型オーディオプレーヤ１ａがテレビと接続されている場合の概念図である。
【図１０】図１０は、携帯型オーディオプレーヤ１ａがテレビと接続されている場合の動作例を説明するためのフローチャートである。
【符号の説明】
【００５８】
１，１ａ，１ｂ…携帯型オーディオプレーヤ、１０…データ線、１１…ＵＳＢインタフェース、１２…ＳＤＲＡＭ、１３…ＨＤＤ、１４…ＬＣＤパネル、１５…入力デバイス、１６…フラッシュメモリ、１７，１７ａ，１７ｂ…ＣＰＵ、１８…オーディオ出力回路、１９…リモコン受信ユニット、２０…データ送信回路、２１…ヘッドホン端子、３…ＰＣ、４…テレビ、５…リモコン
【図１】
2006318585.tif 000003
【図２】
2006318585.tif 000004
【図３】
2006318585.tif 000005
【図４】
2006318585.tif 000006
【図５】
2006318585.tif 000007
【図６】
2006318585.tif 000008
【図７】
2006318585.tif 000009
【図８】
2006318585.tif 000010
【図９】
2006318585.tif 000011
【図１０】
2006318585.tif 000012